(57)【要約】      （修正有）【課題】マルチ−キャリア通信システムにおける複数データストリームを多重化する。【解決手段】Ｕ個の使用可能なサブバンドで複数のオーバーラップしないインタレースを形成される。各インタレースは異なるセットのＳ個のサブバンドであり、各インタレースーサブバンドは、他のインタレースの各々のサブバンドと組み合わせられている。Ｍ個のスロットが各シンボル期間に対し定義され、１からＭのスロットインデックスが割り当てられる。（１）周波数ダイバーシティが各スロットインデックスに対し達成され、又、（２）パイロット伝送用に使用されるインタレースが、各スロットインデックス用に使用されるインタレースまでの可変距離を有して、マッピングされる。各データストリームは、固定サイズのデータパケットとして処理される、各データパケットに対し異なる数のスロットが、データパケット用に使用される符号化及び変調スキームに応じて使用される。【選択図】図９Ａ
2010104012.tif 000002
【特許請求の範囲】
【請求項１】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
前記複数のデータシンボルストリームに対し多重化されたデータシンボルで合成シンボルストリームを形成することと、なおここでは、前記複数のデータシンボルストリームは受信機によって独立して回復可能である；
を備える方法。
【請求項２】
伝送用に使用可能なＵ周波数サブバンドで複数のオーバーラップしないインタレースを形成することと、なおここでは、Ｕ＞１であり各インタレースは前記Ｕ周波数サブバンドの中から選択された異なるセットの周波数サブバンドである；
各シンボル期間における前記複数のスロットを前記複数のインタレースにマッピングすることと；
を更に備える、前記請求項１記載の方法。
【請求項３】
伝送用に使用可能な複数の周波数サブバンドで２Ｎのオーバーラップしないインタレースを形成することと、なおここでは、Ｎ≧１であり各インタレースは前記複数の周波数サブバンドの中から選択された異なるセットの周波数サブバンドである；
各シンボル期間における前記複数のスロットを前記２Ｎのインタレースにマッピングすることと；
を更に備える、前記請求項１記載の方法。
【請求項４】
Ｎが１、２、３、又は４に等しい、前記請求項３記載の方法。
【請求項５】
前記の、前記複数のオーバーラップしないインタレースを形成することは、
等しい数の周波数サブバンドで前記複数のインタレースを形成すること、
を備える、前記請求項２記載の方法。
【請求項６】
前記の、前記複数のオーバーラップしないインタレースを形成することは、
残りのインタレースの各々における前記周波数サブバンドと組み合わせられる各インタレースにおける前記周波数サブバンドで前記複数のインタレースを形成すること、
を備える、前記請求項２記載の方法。
【請求項７】
前記の、前記複数のオーバーラップしないインタレースを形成することは、
複数のグループの周波数サブバンドを形成することと、なお各グループは前記システム中のＴトータル周波数サブバンド全体にわたって一様に分布する周波数サブバンドを含んでおり、なおここでＴ≧Ｕ；
夫々のグループの周波数サブバンドから選択されたサブバンドで各インタレースを形成することと；
を備える、前記請求項２記載の方法。
【請求項８】
前記の、スロットを複数のデータシンボルストリームの各々に割り当てることは、
各シンボル期間において、仮にそうなったとしても、前記複数のインタレースの各々を１データシンボルストリームに割り当てること、
を備える、前記請求項２記載の方法。
【請求項９】
各シンボル期間における前記複数のスロットはスロットインデックスによって識別され、前記方法は、
各シンボル期間に対し、前記スロットインデックスをマッピングスキームに基づき前記複数のインタレースにマッピングすること、
を更に備える、前記請求項２記載の方法。
【請求項１０】
前記の、前記スロットインデックスを前記複数のインタレースにマッピングすることは、
データ伝送用に使用される各スロットインデックスを異なるシンボル期間における前記複数のインタレースの内の異なるものにマッピングすること、
を備える、前記請求項９記載の方法。
【請求項１１】
各々割り当てられたスロット上に多重化されたデータシンボルを、前記スロットがマッピングされている前記インタレースの中の前記周波数サブバンド全体にわたって分布させること、
を更に備える、前記請求項２記載の方法。
【請求項１２】
前記の、各々割り当てられたスロット上に多重化された前記データシンボルを分布させることは、
前記スロットに送られた各データパケット用のデータシンボルを、前記スロットがマッピングされている前記インタレースの中の前記周波数サブバンド全体にわたって分布させること、
を備える、前記請求項１１記載の方法。
【請求項１３】
各シンボル期間において前記複数のスロットの中からパイロット伝送用のスロットを選択することと、
パイロット伝送用に使用される前記スロット上にパイロットシンボルを多重化することと、
を更に備える、前記請求項２記載の方法。
【請求項１４】
パイロット伝送用に使用される前記スロットを異なるシンボル期間における異なるインタレースにマッピングすること、
を更に備える、前記請求項１３記載の方法。
【請求項１５】
パイロット伝送用に使用されるインタレースがデータ伝送用に使用されるインタレースまで可変の距離を有するように、各シンボル期間における前記複数のスロットを前記複数のインタレースにマッピングすること、
を更に備える、前記請求項１３記載の方法。
【請求項１６】
パイロット伝送用に１以上のスロットインデックスを割り当てることと、
データ伝送用に残りのスロットインデックスを割り当てることと、
を更に備える、前記請求項９記載の方法。
【請求項１７】
パイロット伝送用に使用される前記１以上のスロットインデックスを１以上の予め決められたインタレースにマッピングすることと、
データ伝送用に使用される各スロットインデックスを異なるシンボル期間における異なるインタレースにマッピングすることと、
を更に備える、前記請求項１６記載の方法。
【請求項１８】
各データストリームに対し１データシンボルストリームで、前記複数のデータシンボルストリームを得るために複数のデータストリームを処理すること、
を更に備える、前記請求項１記載の方法。
【請求項１９】
前記の、前記スロットを前記複数のデータシンボルストリームの各々に割り当てることは、
特定の数のスロットを各データシンボルストリームに、前記データシンボルストリーム用に使用される少なくとも１符号化及び変調スキームと少なくとも１パケットサイズとに基づき割り当てること、
を更に備える、前記請求項１記載の方法。
【請求項２０】
前記複数のデータストリームを前記処理することは、
前記データストリーム用の符号化されたパケットを生成する符号化スキームに従い、各データストリーム用のデータパケットを符号化することと、
前記対応するデータシンボルストリーム用のデータシンボルを生成する変調スキームに従い、各データストリーム用の前記符号化されたパケットを変調することと、
を更に備える、前記請求項１８記載の方法。
【請求項２１】
各データストリーム用のデータパケットを符号化することは、予め定められた時間区分の各フレームにおける各データストリーム用の整数の数のデータパケットを符号化することを備え、
前記の、前記スロットを前記複数のデータシンボルストリームの各々に割り当てることは、整数の数のスロットを、各フレームにおける各データシンボルストリームに、前記対応するデータストリーム用の前記フレームにおける伝送されている前記数のデータパケットに基づき、割り当てることを備えている、
前記請求項１８記載の方法。
【請求項２２】
前記の、前記スロットを前記複数のデータシンボルストリームの各々に割り当てることは、
各データシンボルストリームを、前記データシンボルストリーム用に使用される符号化及び変調スキームとデコーディング制約条件とによって決定される特定の数のスロットに割り当てること、
を備える、前記請求項１記載の方法。
【請求項２３】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備える装置。
【請求項２４】
前記コントローラは更に、伝送用に使用可能なＵ周波数サブバンドで複数のオーバーラップしないインタレースを形成するように（なおここで、Ｕ＞１）、又、各シンボル期間における前記複数のスロットを前記複数のインタレースにマッピングするように、動作し、各インタレースは前記Ｕ周波数サブバンドの中から選択された異なるセットの周波数サブバンドである、前記請求項２３記載の装置。
【請求項２５】
各シンボル期間において前記複数のスロットはスロットインデックスによって識別され、又、前記データプロセッサは更に、各シンボル期間の間、前記スロットインデックスをマッピングスキームに基づき前記複数のインタレースにマッピングするように動作する、前記請求項２４記載の装置。
【請求項２６】
前記コントローラは更に、各シンボル期間において前記複数のスロットの中からパイロット伝送用のスロットを選択するように動作し、又、前記データプロセッサは更に、パイロット伝送用に使用される前記スロット上にパイロットシンボルを多重化するように動作する、前記請求項２３記載の装置。
【請求項２７】
前記コントローラは更に、特定の数のスロットを各データシンボルストリームに、前記データシンボルストリーム用に使用される少なくとも１符号化及び変調スキームと少なくとも１パケットサイズとに基づき割り当てるように動作する、前記請求項２３記載の装置。
【請求項２８】
前記データプロセッサは更に、各データストリームに対し１データシンボルストリームで、複数のデータシンボルストリームを得るために複数のデータストリームを処理するように動作する前記請求項２３記載の装置。
【請求項２９】
前記無線マルチ−キャリア通信システムは、直交周波数分割多重（ＯＦＤＭ）を利用する、前記請求項２３記載の装置。
【請求項３０】
前記無線マルチ−キャリア通信システムは、ブロードキャストシステムである、前記請求項２３記載の装置。
【請求項３１】
無線マルチ−キャリア通信システムにおける装置であって、
スロットを複数のデータシンボルストリームの各々に割り当てる手段と、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化する手段と；
前記複数のデータシンボルストリームに対し多重化されたデータシンボルで合成シンボルストリームを形成する手段と、なおここでは、前記複数のデータシンボルストリームは受信機によって独立して回復可能である；
を備える装置。
【請求項３２】
伝送用に使用可能なＵ周波数サブバンドで複数のオーバーラップしないインタレースを形成する手段と、なおここで、Ｕ＞１であり、各インタレースは前記Ｕ周波数サブバンドの中から選択された異なるセットの周波数サブバンドである；
各シンボル期間における前記複数のスロットを前記複数のインタレースにマッピングする手段と；
を更に備える、前記請求項３１記載の装置。
【請求項３３】
各シンボル期間における前記複数のスロットはスロットインデックスによって識別され、前記装置は、
マッピングスキームに基づき、各シンボル期間に対し、前記スロットインデックスを前記複数のインタレースにマッピングするように動作する手段を更に備える、
前記請求項３２記載の装置。
【請求項３４】
各シンボル期間において前記複数のスロットの中からパイロット伝送用のスロットを選択する手段と、
パイロット伝送用に使用される前記スロット上にパイロットシンボルを多重化する手段と、
を更に備える、前記請求項３１記載の装置。
【請求項３５】
各データストリームに対し１データシンボルストリームで、複数のデータシンボルストリームを取得するために複数のデータストリームを処理する手段を、
更に備える、前記請求項３１記載の装置。
【請求項３６】
無線マルチ−キャリア通信システムにおけるデータ受信方法であって、
前記システム中の送信機により伝送される複数のデータストリームの中から1以上の回復用データストリームを選択することと；
各選択されたデータストリーム用に使用されるスロットを決定することと、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化することと、なおここでは、各検出されたデータシンボルはデータシンボルの推定値であり、少なくとも１つの検出されたデータシンボルストリームは、回復用に選択された少なくとも１つのデータストリームのために得られる；
対応するデコードされたデータストリームを取得するために各検出されたデータシンボルストリームを処理することと；
を備える方法。
【請求項３７】
各シンボル期間における前記複数のスロットを、伝送用に使用可能なＵ周波数サブバンドで形成された複数のオーバーラップしないインタレースにマッピングすることを更に備え、
Ｕ＞１であり、各インタレースは前記Ｕ周波数サブバンドの中から選択された異なるセットの周波数サブバンドである、
前記請求項３５記載の方法。
【請求項３８】
各シンボル期間における前記複数のスロットはスロットインデックスによって識別され、そして、前記の、各シンボル期間における前記複数のスロットをマッピングすることは、
前記スロットインデックスをマッピングスキームに基づき各シンボル期間における前記複数のインタレースにマッピングすること、
を備える、前記請求項３７記載の方法。
【請求項３９】
前記スロットのために受け取られたデータシンボルを得るために各選択されたデータストリーム用に使用される各スロットに対し、部分フーリエ変換を行うことと、なお前記部分フーリエ変換は、前記システムにおける全てよりは少ない周波数サブバンドに対するフーリエ変換である；
前記スロット用に検出されたシンボルを得るために各選択されたデータストリーム用に使用される各スロットのために受け取られたデータシンボルに関し検出することと；
を更に備える、前記請求項３６記載の方法。
【請求項４０】
前記スロット用のチャネル推定値を得るためにパイロット伝送用に使用される各スロットに対し部分フーリエ変換を行うことを、
更に備える、前記請求項３６記載の方法。
【請求項４１】
パイロット伝送用に使用されるスロットから得られるチャネル推定値に基づき、各選択されたデータストリーム用に使用される各スロット用にチャネル推定値を導き出すこと、
を更に備える、前記請求項４０記載の方法。
【請求項４２】
無線マルチ−キャリア通信システムにおける装置であって、
前記システム中の送信機により伝送される複数のデータストリームの中から少なくとも１つの回復用データストリームを選択し、各選択されたデータストリーム用に使用されるスロットを決定するように動作するコントローラと、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化し、又、対応するデコードされたデータストリームを得るために各検出されたデータシンボルストリームを処理するように動作するデータプロセッサと、なおここでは、各検出されたデータシンボルはデータシンボルの推定値であり、回復用に選択された前記少なくとも１つのデータストリームに対し少なくとも１つの検出されたデータシンボルストリームが得られる；
を備える装置。
【請求項４３】
前記コントローラは更に、各シンボル期間における前記複数のスロットを、伝送用に使用可能なＵ周波数サブバンドで形成された複数のオーバーラップしないインタレースにマッピングするように動作し、なおここでは、Ｕ＞１であり、各インタレースは前記Ｕ周波数サブバンドの中から選択された異なるセットの周波数サブバンドである、前記請求項４２記載の装置。
【請求項４４】
前記スロット用に受け取られたデータシンボルを得るために各選択されたデータストリーム用に使用される各スロットに対し部分フーリエ変換を行うように、又、前記スロット用に検出されたシンボルを得るために各選択されたデータストリーム用に使用される各スロット用の前記受け取られたデータシンボルに関し検出するように、動作する復調器を、更に備える前記請求項４２記載の装置。
【請求項４５】
無線マルチ−キャリア通信システムにおける装置であって、
前記システム中の送信機により伝送される複数のデータストリームの中から少なくとも１つの回復用データストリームを選択する手段と；
各選択されたデータストリーム用に使用されるスロットを決定する手段と、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化する手段と、なおここでは、各検出されたデータシンボルはデータシンボルの推定値であり、回復用に選択された少なくとも１つのデータストリームに対し、少なくとも１つの検出されたデータシンボルストリームが得られる）；
対応するデコードされたデータストリームを得るために各検出されたデータシンボルストリームを処理する手段と；
を備える装置。
【請求項４６】
各シンボル期間における前記複数のスロットを、伝送用に使用可能なＵ周波数サブバンドで形成された複数のオーバーラップしないインタレースにマッピングする手段を更に備え、
Ｕ＞１であり、各インタレースは前記Ｕ周波数サブバンドの中から選択された異なるセットの周波数サブバンドである、
前記請求項４５記載の装置。
【請求項４７】
前記スロット用に受け取られたデータシンボルを得るために各選択されたデータストリーム用に使用される各スロットに対し部分フーリエ変換を行う手段と、
前記スロット用に検出されたシンボルを得るために各選択されたデータストリームのために使用される各スロット用の前記受け取られたデータシンボルに関し検出する手段と、
を更に備える前記請求項４５記載の装置。
【発明の詳細な説明】
【利益の主張】
【０００１】
本願は、２００４年９月１日に出願され、「複数マルチメディアストリームをモバイル端末に地上波ラジオ上で多重化伝送する方法」（“A Method for Multiplexing and Transmitting Multiple Multimedia Streams to Mobile Terminals over Terrestrial Radio”）と題されたシリアル番号第１０／９３２，５８６号の米国特許出願、２００４年４月５日に出願され、「無線マルチ−キャリア通信システムにおける複数データストリームの多重化伝送」（“Multiplexing and Transmission of Multiple Data Streams in a Wireless Multi-Carrier Communication System”）と題されたシリアル番号第６０／５５９，７４０号の米国仮特許出願、及び、２００３年１０月２４日に出願され、「モバイルデバイスへのマルチキャスト無線伝送のための種々マルチメディアストリームの周波数分割多重化方法」（“A Method for Frequency-Division Multiplex Various Multimedia Streams for Multicast Wireless Transmission to Mobile Devices”）と題されたシリアル番号第６０／５１４，３１５号の米国仮特許出願、の利益（benefit）を主張する。
【背景】
【０００２】
［Ｉ．分野］
本発明は、概して通信に関し、より具体的には、無線マルチ−キャリア通信システム(a wireless multi-carrier communication system)における複数データストリーム(multiple data steams)を多重化する(multiplexing)技術に関する。
【０００３】
［ＩＩ．背景］
マルチ−キャリア通信システムはデータ伝送用に複数のキャリア(multiple carriers)を利用する。これらの複数のキャリアは直交周波数分割多重(orthogonal frequency division multiplexing)（ＯＦＤＭ）、幾つかの他のマルチ−キャリア変調技術(multi-carrier modulation technique)、或いは他の何らかの構成よって提供されることが出来る。ＯＦＤＭは、総合体系帯域幅を複数の（Ｎ）直交周波数サブバンド(orthogonal frequency subbands)に有効的に区分する。これらのサブバンドは又、トーン(tones)、キャリア(carriers)、サブキャリア(subcarriers)、ビン(bins)或いは周波数チャネル(frequency channels)と呼ばれる。ＯＦＤＭによって、各サブバンドは、データで変調され得る夫々のサブキャリアに関連付けられる。
【０００４】
マルチ−キャリア通信システムにおける基地局は、複数のデータストリームを同時に伝送することが出来る。各データストリームは、基地局で別々に処理される（例、符号化され変調される)ことが出来、従って、無線デバイス(a wireless device)によって独立に回復される（例、復調されデコードされる）ことが出来る。複数のデータストリームは、固定又は可変のデータレートを持つことが出来、同じ又は異なる符号化及び変調スキームを使用出来る。
【０００５】
同時伝送のための複数のデータストリームの多重化は、これらのストリームが現実に可変である（例、時間とともに変わるデータレート及び／又は符号化及び変調のスキームを有する）ものかどうかに挑戦している(be challenge)のかもしれない。1つの単純な多重化スキームでは、複数のデータストリームは、時分割多重化（ＴＤＭ）を使用する異なるタイムスロット(time slots)或いはシンボル期間(symbol periods)が割り当てられる。このＴＤＭスキームのために、唯1つのデータストリームだけがいつなんどきでも送られ、又、このデータストリームはデータ伝送のために利用可能な全てのサブバンドを使用する。このＴＤＭスキームは、ある好ましくない特性を有している。第一に、所定のデータストリームに割り当て可能な最小時間ユニットに送られることが出来るデータ量は、データストリーム用の「粒度(granularity)」として考察され得ることができるが、データストリーム用に使用される符号化及び変調スキームに依存する。異なる符号化及び変調スキームは、そのとき異なる粒度に関係付けられているかもしれず、これは、データストリームへのリソースの割り当てを複雑にするかもしれないし、結果として非効率なリソース活用をもたらすかもしれない。第二に、もし所定の符号化及び変調スキーム用の粒度が、無線デバイスのデコーディング能力に比べて大きすぎる場合、そのときは、受信されたシンボルを保存する無線デバイスで大きな入力バッファが必要とされるかもしれない。
【０００６】
従って、マルチ−キャリア通信システムにおいて複数のデータストリームを効率よく多重化する技術に対し、技術的なニーズがある。
【発明の概要】
【０００７】
無線マルチ−キャリア（例、ＯＦＤＭ）通信システムにおいて周波数分割多重化（ＦＤＭ）を使用して、複数のデータストリームを多重化する技術が、ここに説明される。一実施例においては、Ｍ個の互いに素な(disjoint)或いはオーバーラップしない(non-overlapping)「インタレース(interlaces)」が伝送用に使用可能なＵ個のサブバンド(U subbands)で形成される、なお、Ｍ＞１であり、且つＵ＞１である。各使用可能なサブバンドが唯１つのインタレースの中に含まれる、という点で、インタレースはオーバーラップしない。各インタレースは異なるセットのＳ個のサブバンド(a different set of S subbamds)であり、ここでＵ＝Ｍ・Ｓである。各インタレースにおけるＳサブバンドは、Ｎトータルサブバンド全体にわたって(across the N total subbands)一様に分布し(uniformly distributed)、Ｍサブバンドによって等しく間隔を置かれる(evenly spaced apart)Ｓ’サブバンドから選択されることが出来る、なおＮ＝Ｍ・Ｓ’且つＳ’≧Ｓ。この組み合わせられた(interlaced)サブバンド構成は、周波数ダイバーシティ(frequency diversity)を提供し、受信機での処理を単純化できる。例えば、受信機は、完全なＮ−ポイント高速フーリエ変換(a full N-point FFT)（ＦＥＴ）の代わりに、対象とする各インタレースに対し「部分的な」Ｓ’−ポイント高速フーリエ変換(“partial” S'-point fast Fourier transform)（ＦＥＴ）を行うことが出来る。Ｍインタレースは、ＦＤＭの方法で複数のデータストリームを伝送するために使用されることが出来る。一実施例においては、各インタレースは各シンボル期間において唯1つのデータストリームで(by only one data stream)使用され、各シンボル期間においてＭインタレース上でＭデータストリームまで(up to M data streams)送られることが出来る。
【０００８】
一実施例においては、複数のデータストリームは「スロット(slots)」が割り当てられ、各スロットは、１シンボル期間における1インタレースと等しいかもしれない、伝送の1ユニット(a unit)である。Ｍスロットがそのとき各シンボル期間において利用可能であり、スロットインデックス(slot indices)１からＭが割り当てられることが出来る。各スロットインデックスは、スロット対インタレースマッピングスキーム(a slot-to-interlace mapping scheme)に基づき各シンボル期間における1インタレースにマッピングされることが出来る。１以上のスロットインデックスがＦＤＭパイロット用に使用されることが出来、残りのスロットインデックスはデータ伝送用に使用されることが出来る。スロット対インタレースマッピングは、パイロット伝送用に使用されるインタレースが、異なるＯＦＤＭシンボル期間において各スロットインデックス用に使用されるインタレースまで可変の距離(varying distances)を有するようなものであり得る。これは、データ伝送用に使用される全てのスロットインデックスが同様のチャネル推定性能(similar channel estimation performance)を達成することを可能にする。
【０００９】
各データストリームは固定サイズ(a fixed size)のデータパケットとして処理されることが出来る。この場合、異なる数のスロットが、データパケット用に使用される符号化及び変調スキーム(the coding and modulation scheme)に応じ、各データパケット用に使用されてもよい。或いは、各データストリームは可変サイズ(variable sizes)のデータパケットとして処理されることが出来る。例えば、パケットサイズは、データパケットの整数の数(an integer number of data packets)が各スロットの中で送られるように、選択されることが出来る。どんな場合も、もし複数のデータパケット(multiple data packets)が所定のスロットの中で送られる場合は、そのとき、各データパケットのデータシンボル(data symbols)は、スロット用に使用される全てのサブバンドにわたって分布することが出来るので、スロットの中で送られた各データパケットに対し、周波数ダイバーシティが達成される。
【００１０】
本発明の様々な面及び実施例が、更に詳細に以下に説明される。
【図面の簡単な説明】
【００１１】
【図１】図１は、基地局及び無線デバイスのブロック図を示す。
【図２】図２は、例示的なスーパーフレーム構成を示す。
【図３】図３は、組み合わせられたサブバンド構成を示す。
【図４Ａ】図４Ａは、「互い違いに配置された」ＦＤＭパイロットを示す。
【図４Ｂ】図４Ｂは、「循環された」ＦＤＭパイロットを示す。
【図５】図５は、インタレースへのスロットインデックスの例示的なマッピングを示す。
【図６】図６は、外部符号を有するデータブロック（？）の符号化を図示する。
【図７Ａ】図７Ａは、異なるモードに対するパケットの伝送を示す。
【図７Ｂ】図７Ｂは、異なるモードに対するパケットの伝送を示す。
【図８Ａ】図８Ａは、異なる数のパケットのスロットへの区割りを示す。
【図８Ｂ】図８Ｂは、異なる数のパケットのスロットへの区割りを示す。
【図９Ａ】図９Ａは、伝送（ＴＸ）データプロセッサのブロック図を示す。
【図９Ｂ】図９Ｂは、変調器のブロック図を示す。
【図１０Ａ】図１０Ａは、復調器のブロック図を示す。
【図１０Ｂ】図１０Ｂは、受信（ＲＸ）データプロセッサのブロック図を示す。
【詳細な説明】
【００１２】
本発明の特徴及び本質は、同様な参照文字が全体を通し同様に識別する添付図面と併せて以下に記載される詳細な説明から、より明らかとなるであろう。
【００１３】
用語「例示的な(exemplary)」は、ここでは、「例(example)、実例(instance)、又は例証(illustration)として役目をしている」ことを意味するのに使用されている。「例示的な」としてここで説明されるどの実施例或いは設計も、他の実施例又は設計より好ましい、又は有利であるとして必ずしも解釈されるべきではない。
【００１４】
ここで説明される多重化技術は、様々な無線マルチ−キャリア通信システム用に使用されることが出来る。これらの技術は又、アップリンク(uplink)同様にダウンリンク(downlink)にも使用されることが出来る。ダウンリンク（又はフォワードリンク(forward link)）は、基地局から無線デバイスへの通信リンクを指し、又、アップリンク（又はリバースリンク(reverse link)）は、無線デバイスから基地局への通信リンクを指す。理解しやすいように、これらの技術は、ＯＦＤＭに基づくシステムの中のダウンリンクに対し、以下に説明される。
【００１５】
図１は、ＯＦＤＭを利用する無線システム１００における、基地局(a base station)１１０及び無線デバイス(a wireless device)１５０のブロック図を示す。基地局１１０は、一般に固定局であり、又、ベーストランシーバーシステム(a base transceiver system)（ＢＴＳ）、アクセスポイント、送信器、或いは他の何らかの専門用語として呼ばれることも出来る。無線デバイス１５０は、固定されてもよいし、或いはモバイルであってもよいし、又、ユーザー端末、移動局、受信機、或いは他の何らかの専門用語として呼ばれることも出来る。無線デバイス１５０は又、ポータブルユニット、例えば、携帯電話、ハンディタイプのデバイス、無線モジュール、携帯情報端末（ＰＤＡ）、などであってもよい。
【００１６】
基地局１１０では、ＴＸデータプロセッサ１２０は、複数の（Ｔ）データストリーム（或いは「トラフィック(traffic)」データ）を受け取り、データシンボル(data symbols)を生成するため各データストリームを処理する（例、符号化する(encodes)、インタリーブする(interleaves)、そしてシンボルマッピングする(symbol maps)）。ここに使用されるように、「データシンボル」はトラフィックデータ用の変調シンボル(a modulation symbol)であり、「パイロットシンボル(pilot symbol)」はパイロット用の変調シンボルであり(それは基地局及び無線デバイスの両方によってアプリオリ(a priori)に知られているデータである)、又、変調シンボルは、変調スキーム（例、Ｍ−ＰＳＫ、Ｍ−ＱＡＭなど)用の信号群におけるポイント用の複素数値(a complex value)である。ＴＸデータプロセッサ１２０は又、Ｔデータストリーム及びパイロットシンボル用のデータシンボルを適切なサブバンド上に多重化し、合成シンボルストリーム(a composite symbol stream)を供給する。変調器１３０は、ＯＦＤＭシンボルを生成するために、合成シンボルストリームにおける多重化されたシンボルに関しＯＦＤＭ変調(OFDM modulation on the multiplexed symbols)を行なう。送信器ユニット（ＴＭＴＲ）１３２は、ＯＦＤＭシンボルをアナログ信号に変換し、変調された信号を生成するためにアナログ信号を更に調整する(例、増幅する、フィルタにかける、そして、周波数をアップコンバートする(frequency upconverts))。基地局１１０はそのあと、変調された信号を、アンテナ１３４からシステム中の無線デバイスに伝送する。
【００１７】
無線デバイス１５０では、基地局１１０からの伝送された信号は、アンテナ１５２によって受信され、受信機ユニット（ＲＣＶＲ）１５４に供給される。受信機ユニット１５４は受信信号を調整し(例、フィルタにかける、増幅する、そして周波数をダウンコンバートする(frequency downconverts))、入力サンプル(input samples)のストリームを生成するために変調された信号をデジタル化する。対象とする１以上のデータストリーム(one or more data streams of interest)のために受信されたシンボルを得るため、復調器１６０は入力サンプルに関しＯＦＤＭ復調を行ない、更に、基地局１１０によって送られたデータシンボルの推定値(estimates)である、検出されたデータシンボル(detected data symbol)を得るため、受信されたシンボルに関し検出 (detection)（例、等化(equalization)、或いは整合フィルタリング(matched filtering)）を行なう。ＲＸデータプロセッサ１７０はそのあと、各選択されたデータストリーム用に検出されたデータシンボルを処理し（例、シンボルデマッピングし(symbol demaps)、デインタリーブし(deinterleave)、そしてデコードし)、又、そのストリーム用のデコードされたデータを供給する。復調器１６０及びＲＸデータプロセッサ170による処理は、基地局１１０で、変調器１３０及びＴＸデータプロセッサ１２０による処理に、夫々相補的(complementary)である。
【００１８】
コントローラ１４０及び１８０は、基地局１１０及び無線デバイス１５０で夫々動作を直接指示する。メモリ装置１４２及び１８２は、コントローラ１４０及び１８０によって使用されるプログラムコード及びデータ用の保存場所を夫々提供する。コントローラ１４０又はスケジューラ１４４は、Ｔデータストリームのためにシステムリソースを割り当てることが出来る。
【００１９】
基地局１１０は、ブロードキャスト、マルチキャスト、及び／又はユニキャストのような様々なサービス用に、Ｔデータストリームを伝送出来る。ブロードキャスト伝送(a broadcast transmission)は,指定されたサービスエリア内の全ての無線デバイスに送られ、マルチキャスト伝送(a multicast transmission)は、グループの無線デバイスに送られ、ユニキャスト伝送(a unicast transmission)は、特定の無線デバイスに送られる。例えば、基地局１１０は、マルチメディア（例、テレビ）プログラム用に、又、ビデオ、オーディオ、テレテキスト、データ、ビデオ/オーディオクリップなどのようなマルチメディアコンテンツ用に、多くのデータストリームをブロードキャスト出来る。単一のマルチメディアプログラムは、ビデオ、オーディオ、そしてデータ用の３つの別々のデータストリームとしてブロードキャストされることが出来る。これは、無線デバイスによってマルチメディアプログラムのビデオ、オーディオ、そしてデータ部分の独立した受信を可能とする。
【００２０】
図２は、システム１００用に使用されることが出来る、例示的なスーパーフレーム構成(super-frame structure)２００を示す。Ｔデータストリームはスーパーフレームの中で伝送されることが出来、各スーパーフレームは予め決められた時間の継続期間 (a predetermined time duration)を有する。スーパーフレームは又、フレーム(a frame)、タイムスロット(a time slot)、或いは他の何らかの専門用語であると呼ばれることが出来る。図２の中で示される実施例については、各スーパーフレームは、1以上のＴＤＭパイロット用のフィールド２１２、オーバーヘッド/制御データ用のフィールド２１４、及びトラフィックデータ用のフィールド２１６を含んでいる。ＴＤＭパイロット(s)は、同期（例、フレーム検出(frame detection)、周波数エラー推定(frequency error estimation)、タイミング獲得(timing acquisition)、など）をとるために無線デバイスによって使用されることが出来る。オーバーヘッド/制御データは、Ｔデータストリーム用の様々なパラメータ（例、各データストリーム用に使用される符号化及び変調スキーム、スーパーフレーム内の各データストリームの特定の場所(location)、など）を示すことが出来る。Ｔデータストリームはフィールド２１６で送られる。図２の中では示されていないが、各スーパーフレームは、データ伝送を容易にするために、複数の(例、４)同じサイズのフレームに分割されることが出来る。他のフレーム構造も又、システム１００用に使用されることが出来る。
【００２１】
図３は、システム１００用に使用されることが出来る、組み合わせられたサブバンド構成(an interlaced subband structure)を示す。システム１００は、Ｎトータルサブバンド(N total subbands)を有するＯＦＤＭ構造を利用する。Ｕサブバンド(U subbands)は、データ及びパイロット伝送用に使用されることが出来、「使用可能な(usable)」サブバンドと呼ばれる、尚、ここではＵ≦Ｎである。残りのＧサブバンド(G subbands)は、使用されず、「ガード(guard)」サブバンドと呼ばれる、尚、ここではＮ＝Ｕ＋Ｇである。一例として、システム１００は、Ｎ＝４０９６トータルサブバンド、Ｕ＝４０００使用可能なサブバンド、及びＧ＝９６ガードサブバンドを有する、ＯＦＤＭ構造を利用できる。
【００２２】
Ｕ使用可能なサブバンドは、Ｍインタレース(M interlaces)或いは互いに素な(disjoint)サブバンドセットにアレンジされることが出来る。Ｍインタレースは、Ｕ使用可能なサブバンドの各々が1つのインタレースのみに属する、という点で、互いに素であり、或いは、オーバーラップしない。各インタレースはＳ使用可能なサブバンド(S usable subbands)を含んでいる、尚、ここでＵ＝Ｍ・Ｓである。グループ中の連続するサブバンドがＭサブバンドによって相隔てられる(spaded apart by M subbands)ように、Ｎトータルサブバンド全体にわたって一様に分布する、異なるグループのＳ’＝Ｎ／Ｍ サブバンドに、各インタレースは関連付けられる。例えば、グループ１は、サブバンド１、Ｍ＋１、２Ｍ＋１、等を、グループ２は、サブバンド２、Ｍ＋２、２Ｍ＋２、等を、又グループＭは、サブバンドＭ、２Ｍ、３Ｍ、等を、含むことが出来る。各グループに対し、Ｓ’の内のＳサブバンドは使用可能なサブバンドであり、残りのＳ’−Ｓサブバンドはガードサブバンドである。各インタレースは、そのとき、各インタレースに関連するグループの中に、Ｓ使用可能なサブバンドを含むことが出来る。上記に説明の例示的なＯＦＤＭ構造に対し、Ｍ＝８インタレースが形成されることが出来、各インタレースは、等しくＭ＝８サブバンドの間隔を置いて配置された、Ｓ’＝５１２サブバンドの中から選択されたＳ＝５００使用可能なサブバンドを含んでいる。各インタレースにおけるＳ使用可能なサブバンドは、このように、他のＭ−１インタレースの各々におけるＳ使用可能なサブバンドと組み合わせられる(interlaced)。
【００２３】
一般に、システムは、任意の数のトータルサブバンド、使用可能なサブバンド、及びガードサブバンドを有する任意のＯＦＤＭ構造を利用できる。任意の数のインタレースも又、形成されることが出来る。各インタレースは、任意の数の使用可能なサブバンドとＵ使用可能なサブバンドの内から任意の1つを含むことが出来る。簡単にするために、次の説明は、Ｍインタレースを備え、各インタレースが一様に分布するＳ使用可能なサブバンドを含んでいる、図３の中で示される組み合わせられたサブバンド構成に対するものである。この組み合わせられたサブバンド構造はいくつかの利点を提供する。第一に、各インタレースが全体のシステム帯域幅中から得られた使用可能なサブバンドを含んでいるので、周波数ダイバーシティが達成される。第二に、完全なＮ−ポイントＦＥＴの代わりに、部分的Ｓ’−ポイントＦＥＴを行うことによって、無線デバイスが、所定インタレース上で送られたデータ/パイロットシンボルを回復出来、無線デバイスによる処理を単純化出来る。
【００２４】
基地局１１０は、無線デバイスが、様々な機能、例えばチャネル推定、周波数トラッキング、時間トラッキング等、を実行することを可能にするため、１以上のインタレース上でＦＣＭパイロットを伝送出来る。
【００２５】
図４Ａは、「互い違いに配置された(staggered)」ＦＤＭパイロットを有する、データ及びパイロット伝送スキーム４００を示す。この例では、Ｍ＝８で、１つのインタレースが、各シンボル期間におけるＦＤＭパイロット用に使用されており、残りの７つのインタレースが、トラフィックデータ用に使用される。パイロットシンボルが、奇数番号シンボル期間においては１つのインタレース（例、インタレース３）上で、又、偶数シンボル期間においては別のインタレース（例、インタレース７）上で、送られるような、交互する方法で(in an alternating manner)、ＦＤＭパイロットは２つの指定されたインタレース上で送られる。ＦＤＭパイロット用に使用される２つのインタレースは、互い違いに配置される、或いは、Ｍ／２＝４インタレースでオフセットされる。この互い違い配置は、無線デバイスが、より多くのサブバンドに対するチャネルリスポンスを注視する(observe)ことを可能にし、性能を改善できる。
【００２６】
図４Ｂは、「循環された(cycled)」ＦＤＭパイロットを有する、データ及びパイロット伝送スキーム４１０を示す。この例では、Ｍ＝８で、１つのインタレースが、各シンボル期間におけるＦＤＭパイロット用に使用されており、残りの７つのインタレースが、トラフィックデータ用に使用される。パイロットシンボルが各Ｍ−シンボル期間の間(each M-symbol period duration)において異なるインタレース上で送られるような循環する方法で(in a cycled manner)、ＦＤＭパイロットが全ての８インタレース上で送られる。例えば、ＦＤＭパイロットは、シンボル期間１においてはインタレース１上で、そのあとシンボル期間２においてはインタレース５上で、そのあとシンボル期間３においてはインタレース２上で、など、又、シンボル期間８においてはインタレース８上で、次にシンボル期間９においてはインタレース１に戻って、などのように、送られることが出来る。この循環は、無線デバイスが、全ての使用可能なサブバンドに対するチャネルリスポンスを注視することを可能にする。
【００２７】
一般に、ＦＤＭパイロットは、任意の数のインタレース上で、又、各シンボル期間におけるＭインタレースの内の任意の１インタレース上で送られることが出来る。ＦＤＭパイロットは又、任意のパターンを使って、なおその内の２つは図４Ａ及び４Ｂにおいて示されているが、送られることが出来る。
【００２８】
基地局１１０は、様々な方法で、ＴデータストリームをＭインタレース上で伝送することが出来る。第一の実施例においては、各データストリームは、データストリームが送られる各シンボル期間において、同じ１以上のインタレース上で送られる。この実施例については、インタレースは、各データストリームに静的に割り当てられる。第二の実施例では、各データストリームは、データストリームが送られる異なるシンボル期間において異なるインタレース上で送られることが出来る。この実施例については、インタレースは、各データストリームに動的に割り当てられて、周波数ダイバーシティを改善出来、又、チャネル推定値の質がデータストリームに割り当てられたスロットインデックス或いはインデックスに依存しないことを確実にすることが出来る。第二実施例は、周波数ホッピング(frequency hopping)の形態として見られることも出来、以下に更に詳細に説明される。
【００２９】
全てのＴデータストリームに対するチャネル推定(channel estimation)及び検出性能(detection performance)を平均するために、伝送スキーム４１０が、静的に割り当てられたインタレースを有する第一実施例のために使用されることが出来、伝送スキーム４００又は４１０が、動的に割り当てられたインタレースを有する第二実施例のために使用されることが出来る。もしＦＤＭパイロットが各シンボル期間において同じ１つのインタレース（パイロットインタレースと呼ばれる）上で送られ、全てのＭインタレースのためのチャネル推定値(channel estimates)を得るために使用される場合、そのときはパイロットインタレースにより近いインタレースのチャネル推定値は、パイロットインタレースから更に離れたインタレースのチャネル推定値よりも、一般的により良い。データストリームのための検出性能は、もしストリームが常に、パイロットインタレースから遠く離れたインタレースを割り当てられる場合は、低下し得る。パイロットインタレースまでの可変の距離(varying distance)（又は間隔(spacing)又はオフセット(offset)）を持つインタレースの割り当ては、チャネル推定バイアス(channel estimation bias)に起因するこの性能低下を回避出来る。
【００３０】
第二実施例については、Ｍスロットは各シンボル期間に対し定義されることが出来、又、各スロットは、１シンボル期間において１インタレースにマッピングされることが出来る。トラフィックデータ用に使用可能なスロットは又、データスロット(a data slot)とも呼ばれ、そして、ＦＤＭパイロット用に使用可能なスロットは又、パイロットスロット(a pilot slot)とも呼ばれる。各シンボル期間におけるＭ個のスロットは、インデックス１からＭを付与されることが出来る。スロットインデックス１は、ＦＤＭパイロット用に使用されることが出来、スロットインデックス２からＭは、データ伝送用に使用されることが出来る。Ｔデータストリームは、各シンボル期間において、インデックス２からＭを持ったスロットを割り当てられることが出来る。固定されたインデックスを持ったスロットの使用は、スロットのデータストリームへの割り当てを簡単に出来る。Ｍスロットインデックスは、所望の周波数ダイバーシティ及びチャネル推定性能を達成できる任意のマッピングスキームに基づき、各シンボル期間におけるＭインタレースにマッピングされることが出来る。
【００３１】
第一のスロット対インタレース マッピングスキームにおいて、スロットインデックスが並び替えられた方法(in a permutated manner)でインタレースにマッピングされる。Ｍ＝８で、各シンボル期間において１パイロットスロットと７データスロットを持った伝送スキーム４００に対し、マッピングは次のとおり行われる。８インタレースがオリジナルシーケンス｛Ｉ１,Ｉ２,Ｉ３,Ｉ４,Ｉ５,Ｉ６,Ｉ７,Ｉ８｝によって表わされることが出来る。並び替えられたシーケンスは、｛Ｉ１,Ｉ５,Ｉ３,Ｉ７,Ｉ２,Ｉ６,Ｉ４,Ｉ８｝として形成される。オリジナルシーケンスにおけるｉ番目のインタレースは、並び替えられたシーケンスにおいてｉｂｒ番目の位置(position)に置かれる、なお、ｉ∈｛１・・・８｝、ｉｂｒ∈｛１・・・８｝、又、（ｉｂｒ−１）は（ｉ−１）の逆ビットインデックス(a bit-reverse index)である。これらのインデックスが０の代わりに１からスタートするので、ｉ及びｉｂｒに対し、−１のオフセットが使用される。一例として、ｉ＝７に対し、（ｉ−１）＝６、ビット表現は「１１０」であり、逆ビットインデックスは「０１１」であり、（ｉｂｒ−１）＝３、ｉｂｒ＝４である。オリジナルシーケンスにおける７番目のインタレースは、このように並び替えられたインタレーススにおいて４番目の位置に置かれる。ＦＤＭパイロット用に使用される２つのインタレースは、このとき短縮されたインタレースシーケンス｛Ｉ１,Ｉ５,Ｉ３/7,Ｉ２,Ｉ６,Ｉ４,Ｉ８｝を形成するために並び替えられたシーケンスにおいて組み合わせられる(combined)。データ伝送用に使用されるｋ番目のスロットインデックス（又はｋ番目のデータスロットインデックス）は、ｋ∈｛２・・・８｝に対し、このとき短縮されたインタレースシーケンスにおける（ｋ−１）番目のインタレースにマッピングされる。その後の各シンボル期間に対し、短縮されたインタレースシーケンスは、２つの位置分、右に循環的にシフトされ、左に折り返される。ｋ番目のデータスロットインデックスは、循環的にシフトされた短縮されたインタレースシーケンスにおいて、再び、（ｋ−１）番目のインタレースにマッピングされる。
【００３２】
図５は、上記で説明された第一マッピングスキーム用の、スロットインデックスのインタレースへのマッピングを示す。ＦＤＭパイロット用に使用されるスロットインデックス１は、伝送スキーム４００用の交互シンボル期間(alternating symbol periods)上のインタレース３及び７にマッピングされる。データスロットインデックス２−８は、第１シンボル期間は短縮されたインタレースレースシーケンス｛Ｉ１,Ｉ５,Ｉ３/7,Ｉ２,Ｉ６,Ｉ４,Ｉ８｝における７つのインタレースに、第２シンボル期間は環状に又は循環的にシフトされたインタレースシーケンス｛Ｉ４,Ｉ８,Ｉ１,Ｉ５,Ｉ３/7,Ｉ２,Ｉ６｝に、など、にマッピングされる。図５において示されるように、各データスロットインデックスは、７つのインタレースの内の１つがインタレース３か７である、７つの連続するシンボル期間において、各データスロットインデックスは７つの異なるインタレースにマッピングされる。７つのデータスロットインデックスは全てそのとき同様の性能を達成する。
【００３３】
第二のスロット対インタレース マッピングスキームにおいては、スロットインデックスは、疑似乱数の方法(in a pseudo-random manner)でインタレースにマッピングされる。疑似乱数(a pseudo-random number)（ＰＮ）生成器が、スロットインデックスをインタレースにマッピングするために使用されるＰＮ数を生成するために、使用されることが出来る。ＰＮ生成器は、特定の生成器多項式(a particular generator polynomial)、例えば、ｇ（ｘ）＝ｘ１５＋ｘ１４＋１を実行するリニアフィードバックシフトレジスタ（ＬＦＳＲ）で実現されることが出来る。各シンボル期間ｊに対し、ＬＦＳＲはアップデートされ、ＬＦＳＲのＶ最下位ビット（ＬＳＢｓ）はＰＮ（ｊ）として表されることが出来る、なおここで、ｊ＝１，２、・・・そして、Ｖ＝ｌｏｇ２Ｍである。ｋ番目のデータスロットインデックスは、ｋ∈｛２・・・８｝に対し、もしこのインタレースがＦＤＭパイロット用に使用されない場合はインタレース［（ＰＮ（ｊ）＋ｋ）ｍｏｄ Ｍ］＋１にマッピングされ、そうでなければインタレース［（ＰＮ（ｊ）＋ｋ＋１）ｍｏｄ Ｍ］＋１にマッピングされる。
【００３４】
第三のスロット対インタレース マッピングスキームにおいては、スロットインデックスは、循環方法により、インタレースにマッピングされる。各シンボル期間ｊに対し、ｋ番目のデータスロットインデックスは、ｋ∈｛２・・・Ｍ｝に対し、もしこのインタレースがＦＤＭパイロット用に使用されない場合はインタレース［（ｊ＋ｋ）ｍｏｄ Ｍ］＋１にマッピングされ、そうでなければインタレース［（ｊ＋ｋ＋１）ｍｏｄ Ｍ］＋１にマッピングされる。
【００３５】
Ｍスロットインデックスは、このように、様々な方法で、Ｍインタレースにマッピングされることが出来る。幾つかの例示的なスロインタレースースマッピングスキームは、上記で説明された。他のマッピングスキームも又使用されることが出来、これは本発明の範囲内である。
【００３６】
スロットは、様々な方法で、Ｔデータストリームに割り当てられることが出来る。第一のスロット割り当てスキームでは、各データストリームは、負でない整数の数のデータパケット（即ち、ゼロ又はそれより多いデータパケット)を伝送するため、各スーパーフレーム中の十分な数のスロットが割り当てられる。このスキームのために、データパケットは、固定されたサイズ（例えば、予め決められた数の情報ビット）を持つように定義されることが出来、データパケット用に符号化及びデコーディングすることを単純化出来る。パケット用に使用される符号化及び変調スキームに依存する可変サイズを有する、符号化されたパケットを生成するために、各固定されたサイズのデータパケットは、符号化され変調されることが出来る。符号化されたパケットを伝送するために必要とされるスロットの数は、そのとき、パケットに使用される符号化及び変調スキームに依存する。
【００３７】
第二のスロット割り当てスキームでは、各データストリームは、各スーパーフレーム中の負でない整数の数のスロットを割り当てられることが出来、又、整数の数のデータパケットは、各割り当てられたスロット中で送られることが出来る。同じ符号化及び変調スキームは、任意のスロット中で送られる全てのデータパケットに対し使用されることが出来る。各データパケットは、（１）スロット中で送られるデータパケットの数、及び（２）そのスロット用に使用される符号化及び変調スキーム、に依存するサイズを持つことが出来る。このスキームのために、データパケットは、可変サイズを持つことが出来る。
【００３８】
スロットも又、他の方法で、データストリームに割り当てられることが出来る。理解しやすいように、以下の説明では、第一のスロット割り当てスキームがシステムによって使用されると仮定する。
【００３９】
各データストリームは、様々な方法で符号化されることが出来る。一実施例においては、各データストリームは、外部符号(an outer code)及び内部符号(an inner code)から成る連結符号(a concatenated code)で符号化される。外部符号は、ブロック符号、例えば、リードソロモン(Reed-Solomon)（ＲＳ）符号、或いはある他の符号、でもよい。内部符号は、ターボ符号(Turbo code)、畳み込み符号(convolutional code)、或いはある他の符号でもよい。
【００４０】
図６は、リードソロモン外部符号を使用する、例示的な外部符号化スキームを示す。データストリームは、データパケットに分割される。一実施例においては、各データパケットは、固定化されたサイズを持ち、予め決められた数の情報ビット又はＬ情報バイト（例、１０００ビット又は１２５バイト）を含む。データストリーム用のデータパケットは、メモリの行(rows)に、１行当たり１パケットで書き込まれている。ＫｒｓデータパケットがＫｒｓ行に書き込まれた後、ブロック符号化が列に関し(column-wise)、一度に1列ずつ行なわれる。一実施例では、各列は、Ｋｒｓバイト（１行当たり１バイト）含んでおり、又、Ｎｒｓバイトを含む対応するコードワード(codeword)を生成するため、（Ｎｒｓ，Ｋｒｓ）リードソロモン符号で符号化される。コードワードの最初のＫｒｓバイトは、データバイト（これらは又システマティックバイトと呼ばれる）であり、最後のＮｒｓ-Ｋｒｓバイトは、パリティバイト(これらはエラー修正のため無線デバイスによって使用されることが出来る)である。リードソロモン符号化は、各コードワードに対しＮｒｓ-Ｋｒｓパリティバイトを生成し、これらは、データのＫｒｓ行の後の、メモリのＮｒｓ-ＫｒｓからＮｒｓまでの行に書かれる。ＲＳブロックは、データのＫｒｓ行とパリティのＮｒｓ-Ｋｒｓ行を含む。一実施例では、Ｎ＝１６とＫｒｓは、コンフィギュレーション可能な(configurable)パラメータであり、例えば、Ｋｒｓ∈｛１２、１４、１６｝である。リードソロモン符号は、Ｋｒｓ=Ｎｒｓの時、ディスエーブルされる(disabled)。ＲＳブロックのデータ／パリティパケット（又は各行）は、このとき、対応する符号化されたパケットを生成するためにターボ内部符号によって符号化される。符号ブロックは、ＲＳブロックのＮｒｓ行のためのＮｒｓ符号化されたパケット(Nrs coded packets)を含んでいる。
【００４１】
各符号ブロックのＮｒｓ符号化されたパケットは、様々な方法で送られることが出来る。例えば、各符号ブロックは、1つのスーパーフレームの中で伝送されることが出来る。各スーパーフレームは、複数の（例、４）フレームに分割されることが出来る。各符号ブロックはそのあと、複数の（例、４)サブブロックに分割されることが出来、符号ブロックの各サブブロックは、スーパーフレームの1フレームの中で送られることが出来る。スーパーフレーム全体にわたる複数部分における各符号ブロックの伝送は、時間ダイバーシティ(time diversity)を提供できる。
【００４２】
各データストリームは、階層符号化で、又は、階層符号化なしで、伝送されることが出来る、なおここでは、このコンテクストにおける用語「符号化」は、送信機での、データ符号化よりはチャネル符号化を指す。データストリームは、２つのサブストリームから構成されることが出来、これらはベースストリーム及びエンハンスメントストリームと呼ばれる。ベースストリームは、基礎情報を伝えることが出来、基地局のサービスエリア内の全ての無線デバイスに送られることが出来る。エンハンスメントストリームは、更なる情報を伝えることが出来、より良いチャネル条件を注視する無線デバイスに送られることが出来る。階層符号化を用いて、ベースストリームは、第１の変調シンボルストリームを生成するために符号化され変調され、又、エンハンスメントストリームは、第２の変調シンボルストリームを生成するために符号化され、変調される。同じか異なる符号化及び変調スキームは、ベースストリーム及びエンハンスメントストリームのために使用されることが出来る。２つの変調シンボルストリームはそのあと、1つのデータシンボルストリームを得るために、スケール変更され(scale)、組み合わせられる(combine)ことが出来る。
【００４３】
テーブル１は、システム１００によってサポートされることが出来る８つの「モード」の例示的なセットを示す。これらの８モードは、１から８のインデックスを与えられる。各モードは特定の変調スキーム（例、ＱＰＳＫ又は１６−ＱＡＭ）及び特定の内部符号レート（例、１／３、１／２、又は２／３）に関係付けられている。最初の５つのモードは、ベースストリームだけを備えた「通常の(regular)」符号化用であり、又、最後の３つのモードは、ベース及びエンハンスメントのストリームを備えた階層符号化用である。簡単にするために、各階層符号化モードに対し、ベース及びエンハンスメントのストリームの両方に同じ変調スキーム及び内部符号レートが使用される。
【表１】
2010104012.tif 000003
【００４４】
テーブル１の第４列は、各モードに対し、１つの固定されたサイズのデータパケットを伝送するために必要とされるスロットの数を示す。テーブル1では、スロット当たりＳ使用可能サブバンド及び２・Ｓ情報ビットのデータパケットサイズ(a data packet size of2-S information bits and S usable subbands per slot)（例えば、Ｓ＝５００）を前提とする。スロットは、Ｓ使用可能なサブバンドを有する１つのインタレースにマッピングされ、各サブバンドは、1つのデータシンボルを搬送することが出来るので、各スロットは、Ｓデータシンボルの容量を有する。モード1については、２・Ｓ情報ビットを備えたデータパケットが、６・Ｓ符号ビットを生成するためにレート１／３内部符号で符号化され、それら６・Ｓ符号ビットは、そのあとＱＰＳＫを使用する３・Ｓデータシンボルにマッピングされる。データパケット用の３・Ｓデータシンボルは、３つのスロット中で送られることが出来、各スロットはＳデータシンボルを搬送する。同様な処理が、テーブル１における他のモードの各々に対し、実行されることが出来る。
【００４５】
テーブル1は例示的な設計を示す。他のサイズ（例、５００情報ビット、２０００情報ビット、など)のデータパケットも又使用されることが出来る。各パケットが整数の数のスロットの中で送られることが出来るように、例えば、複数のパケットサイズも又使用されることが出来る。例えば、１０００情報ビットのパケットサイズが、モード１、２、及び４に対し使用されることが出来、又、１３３３情報ビットのパケットサイズが、モード３及び５に対し使用されることが出来る。一般に、システムは又、任意の数の符号化及び変調のスキーム、任意の数のデータパケットサイズ、及び任意のパケットサイズ、のための任意の数のモードをサポート出来る。
【００４６】
図７Ａは、テーブル１にリストされた最初の５つのモードの各々に対しての、整数の数のシンボル期間の夫々の中で１つのスロットを使用する、最小の整数の数のデータパケットの伝送を示す。1つのデータパケットは、（１）モード１に対しては３シンボル期間、（２）モード２に対しては２シンボル期間、又（３）モード４に対しては１シンボル期間、の中で、１つのスロットを使用して送られることが出来る。２つのデータパケットは、モード３に対し、各データパケットが送るのに１．５スロットを要するので、３シンボル期間中に１つのスロットを使用して送られることが出来る。４つのデータパケットは、モード５に対し、各データパケットが送るのに０．７５スロットを要するので、３シンボル期間中に１つのスロットを使用して送られることが出来る。
【００４７】
図７Ｂは、テーブル１にリストされた最初の５つのモードの各々に対しての、１シンボル期間中で整数の数のスロットを使用する、最小の整数の数のデータパケットの伝送を示す。1つのデータパケットは、（１）モード１に対しては３スロット、（２）モード２に対しては２スロット、又（３）モード４に対しては１スロット、を使って、１シンボル期間中に送られることが出来る。２つのデータパケットは、モード３に対し、３スロットを使用して、１シンボル期間中に送られることが出来る。４つのデータパケットは、モード５に対し、３スロットを使用して、１シンボル期間中に送られることが出来る。
【００４８】
図７Ａ及び７Ｂにおいて示されるように、最小の数のデータパケットが、各モード(モード４を除いて)に対し、幾つかの方法で伝送されることが出来る。より短い時間の期間に最小の数のデータパケットを伝送することは、データパケットを受け取るのに必要なＯＮ時間の量を減らすが、より少ない時間ダイバーシティを提供する。より長い時間の期間にわたって最小の数のデータパケットを伝送することに対しては、逆も真実である。
【００４９】
図８Ａは、モード１の場合の、単一の符号化されたパケットの３つのスロットへの区割り(partitioning)を示す。３つのスロットは、１シンボル期間における３つの異なるインタレース用であるかもしれないし、或いは、３つの異なるシンボル期間における１つのインタレース用であるかもしれない。３つのスロットは異なるチャネル条件を注視できる。符号化されたパケット中のビットは、３つのスロットへの区割りの前に、インタリーブされる（即ち、再整理される(reordered)）ことが出来る。各符号化されたパケットに対するインターリービングは、符号化されたパケット全体にわたるビットの信号対雑音比（ＳＮＲ）をランダム化でき、それはでコーディング性能を改善することが出来る。インターリービングは、本技術分野で知られているような、様々な方法で行われることが出来る。インターリービングは又、符号化されたパケット中の隣接するビットが同じデータシンボルの中で送られないようなものかもしれない。
【００５０】
図８Ｂは、モード５の場合の、４つの符号化されたパケットの３つのスロットへの区割りを示す。図８Ｂ中で示されるように、３つのスロットは、４つの符号化されたパケットによって連続して一杯にされることが出来る。複数の符号化されたパケットがスロットを共有する場合(例えば、モード３及び５に対してのように)、スロットの中で送られる全てのビットは、スロットの中で送られる各符号化されたパケットに対するビットがスロット用に使用されるサブバンド全体にわたって分布されるように、インタリーブされることが出来る。各スロットをまたがるインターリービング(the interleaving across each slot)は、スロットの中で送られる各符号化されたパケットに対し周波数ダイバーシティを提供し、又、デコーディング性能を改善することが出来る。
【００５１】
スロットをまたがるインターリービングは、様々な方法で行なわれることが出来る。一実施例では、与えられたスロットの中で送られる全ての符号化されたパケット用のビットは、データシンボルに最初にマッピングされ、そして、データシンボルはそのあと、順序を入れ替えた方法で(in a permutated manner)、そのスロット用に使用されるサブバンドにマッピングされる。シンボル対サブバンド マッピング(the symbol-to-subband mapping)のために、Ｓ’連続値、０からＳ’−１まで、を備えた第１シーケンスが、最初に形成される。第２シーケンスのi番目の値が第１シーケンスのi番目の値のビットリバース(the bit reverse)と等しいように、Ｓ’値の第２シーケンスがそのあと作成される。第２シーケンス中の、Ｓ’以上の値は全て、０からＳ−１までの範囲のＳ値を備えた第３シーケンスを得るために取り除かれる。Ｆ（ｊ）として表わされる、１からＳまでの範囲の、順序を入れ替えられたＳインデックス値(S permutated index values)のシーケンスを得るために、第３シーケンス中の各値はそのあと１だけインクレメントされる。スロット中のj番目のデータシンボルは、スロット用に使用されるインタレース中のＦ（j）番目のサブバンド(F(j)-th subband)にマッピングされることが出来る。例えば、もしＳ＝５００且つＳ’＝５１２である場合は、そのとき、第１シーケンスは｛０,１,２,３,・・・,５１０,５１１｝、第２シーケンスは｛０,２５６,１２８,３８４，・・・,２５５,５１１｝、又、第３シーケンスは｛０,２５６,１２８,３８４,・・・,２５５｝である。シーケンスＦ（ｊ）は、一度コンピュータ計算されることを必要とするだけであり、全スロット用に使用されることが出来る。他のマッピングスキームも又、各スロットをまたがるインターリービングを達成するためにシンボル対サブバンド マッピング用に使用されることが出来る。
【００５２】
一般に、各データストリームは、ストリームのデータレートに依存して、各スーパーフレームにおける任意の数のデータパケットを搬送出来る。各データストリームは、スロットの利用可能性とそしてもしかすると他の要因に従って、そのデータレートに基づき、各スーパーフレームにおいて十分な数のスロットが割り当てられる。例えば、各データストリームは、各シンボル期間におけるスロットの特定された最大数に制約を受け得、それはデータストリーム用に使用されるモードに依存し得る。各データストリームは、データストリーム用の各シンボル期間に伝送されることが出来る情報ビットの最大数である、特定された最大のデータレートに制限され得る。最大のデータレートは、典型的には、無線デバイスのデコーディング及びバッファリングの性能によって決められる(set)。各データストリームを最大のデータレート内に制約することは、データストリームが、定められたデコーディング及びバッファリングの性能を有する無線デバイスによって回復されることが出来る、ことを確実にする。最大データレートは、データストリーム用の各シンボル期間に伝送されることが出来るデータパケットの数を制限する。スロットの最大数は、そのとき、データパケットの最大数、及びデータストリーム用に使用されるモードによって決定されることが出来る。
【００５３】
一実施例において、各データストリームは、所定のシンボル期間において整数の数のスロットを割り当てられることが出来、又、複数のデータストリームはインタレースを共有しない。この実施例の場合、１スロットがＦＤＭパイロット用に使用されると仮定し、Ｍ−１までのデータストリームが、各シンボル期間においてＭ−１データスロット上で送られることが出来る。別の実施例では、複数のデータストリームはインタレースを共有出来る。
【００５４】
図９Ａは、基地局１１０でのＴＸ伝送データプロセッサの一実施例のブロック図を示す。ＴＸデータプロセッサ１２０は、Ｔデータストリーム用のＴ ＴＸデータストリームプロセッサ９１０ａ−９１０ｔ、オーバーヘッド／制御データ用のＴＸオーバヘッドデータプロセッサ９３０、ＴＤＭ及びＦＤＭパイロット用のパイロットプロセッサ９３２、及びマルチプレクサ（Ｍｕｘ）９４０を含む。各データストリームプロセッサ９１０は、対応するデータシンボルストリーム｛Ｙｉ｝、但しｉ∈｛１・・・Ｔ｝の場合、を生成するためにそれぞれのデータストリーム｛ｄｉ｝を処理する。
【００５５】
各ＴＸデータストリームプロセッサ９１０内では、エンコーダ９１２が、そのデータストリーム｛ｄｉ｝用のデータパケットを受け取り、符号化し、そして符号化されたパケットを供給する。エンコーダ９１２は、例えば、リードソロモンの外部符号及びターボ又は畳み込みの内部符号からなる連結符合に従い、符号化を行なう。この場合、図６の中で示されるように、エンコーダ９１２は、Ｎｒｓの符号化されたパケットを生成するため各ブロックのＫｒｓデータパケットを符号化する。符号化は、データストリームのための伝送の信頼性を増加させる。エンコーダ９１２は又、各符号化されたパケットに対する周期的冗長検査（ＣＲＣ）価値を生成し付け加えることが出来、それは、無線デバイスによってエラー検出のために（即ち、パケットが正確に或いは間違ってデコードされるのかどうかを決定するために)使用されることが出来る。エンコーダ９１２又、符号化されたパケットを混ぜる(shuffle)ことが出来る。
【００５６】
インタリーバ９１４は、エンコーダ９１２から符号化されたパケットを受け取り、インタリーブされたパケットを生成するために、各符号化されたパケットの中のビットをインタリーブする。インターリービングは、パケットのための、時間及び／又は周波数ダイバーシティを提供する。スロットバッファ９１６はこのあと、例えば、図８Ａ又は８Ｂの中で示されるように、データストリームに割り当てられた全てのスロット用に、インタリーブされたパケットで一杯になる。
【００５７】
スクランブラ９１８は、ビットをランダム化するためにＰＮシーケンスを備えた各スロット用のビットを受け取り、スクランブルをかける(scramble)。Ｍの異なるＰＮシーケンスはＭのスロットインデックスのために使用されることが出来る。Ｍ ＰＮシーケンスは、例えば、特別の生成器多項式(a particular generator polynomial)、例、ｇ（ｘ）＝ｘ１５＋ｘ１４＋１、を実行する線形のフィードバックシフトレジスタ（ＬＦＳＲ）で生成されることが出来る。ＬＦＳＲは、各スロットインデックス用の異なる１５ビットの初期値がロードされることが出来る。更に、ＬＦＳＲは、各シンボル期間の最初に再ロードされることが出来る。スクランブラ９１８は、スクランブルをかけられたビットを生成するために、スロット中の各ビット上でＰＮシーケンス中のビットを用いて排他的論理和を行なうことが出来る。
【００５８】
ビット対シンボル マッピングユニット９２０は、スクランブラ９１８から各スロット用のスクランブルをかけられたビットを受け取り、データストリーム用に選択された変調スキーム(例、ＱＰＳＫ又は１６−ＱＡＭ)に従ってこれらのビットを変調シンボルにマッピングし、そしてスロット用のデータシンボルを供給する。シンボルマッピングは、（１）Ｂビット２進値(B-bit binary values)を形成するためにＢビットのセットをグループ化すること、なおここでＢ≧１、そして、（２）各Ｂビット２進値を、変調スキームのための信号群におけるポイント用の複素数値(a complex value for a point in a signal constellation)にマッピングすること、によって達成される。エンコーダ９１２のための外部及び内部符号と、マッピングユニット９２０のための変調スキームは、データストリーム用に使用されるモードによって決定される。
【００５９】
もしデータストリームが階層符号化を使って送られる場合、そのときベースストリームは、変調シンボルの第１ストリームを生成するために、1セットの処理装置(processing units)９１２−９２０によって処理されることが出来、又、エンハンスメントストリームは、変調シンボル(簡単にするために図９にいては示されない)の第２ストリームを生成するために、別のセットの処理装置９１２−９２０によって処理されることが出来る。テーブル1の中で示されるように、ベースストリーム及びエンハンスメントストリームの両方に対し、同じ符号化及び変調スキームが使用されてもよく、或いは、２つのストリームに対しては、異なる符号化及び変調スキームが使用されてもよい。結合器(a combiner)がそのあと、データストリーム用のデータシンボルを生成するために、第１及び第２の変調シンボルストリームを受け取り、組み合わせる(combine)ことが出来る。階層符号化も又、他の方法で行なわれることが出来る。例えば、ベースストリーム及びエンハンスメントストリームの両方のためのスクランブルをかけられたビットは、データストリームにデータシンボルを供給する単一のビット対シンボル マッピングユニットに、供給されることが出来る。
【００６０】
スロット対インタレース マッピングユニット９２２は、システムによって使用されるスロット対インタレース マッピングスキームに基づき、データストリーム｛ｄｉ｝に割り当てられた各スロットを適切なインタレースにマッピングする（例、図５の中で示されるように)。シンボル対サブバンド マッピングユニット９２４は、そのあと、各スロット中のＳデータシンボルを、スロットがマッピングされるインタレース中の適切なサブバンドにマッピングする。シンボル対サブバンド マッピングは、上記に説明されたように、スロットのために使用されるＳサブバンド全体にわたりＳデータシンボルを分布する(to distribute)方法で行なわれることが出来る。マッピングユニット９２４は、データストリーム｛ｄｉ｝に、データストリーム用に使用される適切なサブバンドにマッピングされるデータシンボルを供給する。
【００６１】
ＴＸオーバヘッドデータプロセッサ９３０は、オーバーヘッド/制御 データ用に使用される符号化及び変調スキームに従いオーバーヘッド/制御 データを処理し、オーバーヘッドシンボル(overhead symbols)を提供する。パイロットプロセッサ９３２は、ＴＤＭ及びＦＤＭパイロットのための処理を行ない、パイロットシンボル(pilot symbols)を提供する。マルチプレクサ９４０は、Ｔデータストリーム用のマッピングされたデータシンボルをＴＸデータストリームプロセッサ９１０ａ−９１０ｔから、オーバーヘッドシンボルをオーバヘッドデータプロセッサ９３０から、パイロットシンボルをパイロットプロセッサ９３２から、そしてガードシンボル(guard symbols)を、受け取る。マルチプレクサ９４０は、コントローラ１４０からのＭＵＸ＿ＴＸに基づき、適切なサブバンド上でシンボル期間(onto the proper subbands and symbol periods),データシンボル、オーバーヘッドシンボル、パイロットシンボル及びガードシンボルを提供し、合成シンボルストリーム、｛Ｙｃ｝を出力する。
【００６２】
図９Ｂは、基地局１１０での変調器１３０の一実施例のブロック図を示す。変調器１３０は逆高速フーリエ変換(inverse fast Fourier transform)（ＩＦＦＴ）ユニット９５０及び周期的プレフィクス発生器（a cyclic prefix generator）９５２を含む。各シンボル期間、ＩＦＦＴユニット９５０は、Ｎ時間ドメインサンプル(N time-domain samples)を含んだ「変換された(transformed)」シンボルを得るために、Ｎトータルサブバンド用のＮシンボル(the N symbols for the N total subbands)を、Ｎ−ポイントＩＦＦＴを有する時間ドメイン(the time domain with an N-point IFFT)に変換する。周波数選択性フェージング(frequency selecting fading)によって引き起こされる符号間干渉(intersymbol interference)（ＩＳＩ）を抑制するために(to combat)、周期的プレフィックス発生器９５２は、Ｎ＋Ｃサンプルを含んでいる対応するＯＦＤＭシンボルを形成するために、各変換されたシンボルの部分（又はＣサンプル)を繰り返す。繰り返された部分は、周期的プレフィックス(a cyclic prefix)又はガード間隔(guard interval)としばしば呼ばれる。例えば、周期的プレフィックス長さは、Ｎ＝４０９６の場合、Ｃ＝５１２であるかもしれない。各ＯＦＤＭは、Ｎ＋Ｃサンプル期間である１ＯＦＤＭシンボル期間（又は、単に、シンボル期間）に伝送される。周期的プレフィックス発生器９５２は、合成シンボルストリーム｛Ｙｃ｝に出力サンプルストリーム｛Ｙ｝を供給する。
【００６３】
図１０Ａは、無線デバイス１５０復調器(demodulator)の一実施例のブロック図を示す。
【００６４】
復調器１６０は、周期的プレフィックス除去ユニット(a cyclic prefix removal unit)１０１２、フーリエ変換ユニット(a Fourier transform unit)１０１４、チャネル推定器(a channel estimator)１０１６、及び検出器(a detector)１０１８を含む。周期的プレフィックス除去ユニット１０１２は、各受信されたＯＦＤＭシンボル中の周期的プレフィックスを除去し(removes)、Ｎ入力サンプルのシーケンス、{ｘ(ｎ)}、を受信されたＯＦＤＭシンボルのために供給する。フーリエ変換ユニット１０１４は、各選択されたインタレースｍのための入力サンプルシーケンス{ｘ(ｎ)}上で部分的フーリエ変換を行ない、1セットのＳ受信されたシンボル(a set of S received symbols)、｛Ｘｍ(k)｝｝、をそのインタレースに供給する、なおここでｍ＝１・・・Ｍである。チャネル推定器１０１６は、入力サンプルシーケンス{ｘ(ｎ)}に基づいた、各選択されたインタレースｍのためのチャネル利得推定値(channel gain estimate)
【数１】
2010104012.tif 000004
【００６５】
を導き出す(derives)。検出器１０１８は、そのインタレース用のチャネル利得推定値
【数２】
2010104012.tif 000005
【００６６】
を持った各選択されたインタレースのための該セットのＳ受信されたシンボル｛Ｘｍ(k)｝｝に関し検波(detection)（例、等化(equalization)又は整合フィルタリング(matched filtering)）を行い、そのインタレースのためのＳ検波されたデータシンボル(S detected data symbols)
【数３】
2010104012.tif 000006
【００６７】
を供給する。
【００６８】
図１０Ｂは、無線デバイス１５０でのＲＸデータプロセッサの一実施例のブロック図を示す。マルチプレクサ１０３０は、検波器１０１８からの全てのインタレース用の検波されたデータシンボルを受け取り、ＭＵＸ＿ＲＸ制御に基づき各シンボル期間の検波されたデータ及びオーバーヘッドシンボルの多重化を行ない(performs multiplexing)、夫々のＲＸデータストリームプロセッサ１０４０にとって関心のある(of interest to a respective RX data stream processor)各検波されたデータシンボルストリームを供給し、ＲＸオーバヘッドデータプロセッサ１０６０に検波されたオーバーヘッドシンボルストリームを供給する。
【００６９】
各ＲＸデータストリームプロセッサ１０４０内で、サブバンド対シンボル デマッピングユニット(a subband-to-symbol demapping unit)１０４２が、各選択されたインタレースの中の各サブバンド上の受信されたシンボルをスロット内の適切な位置(position)にマッピングする。インタレース対スロット デ゛マッピングユニット (an interlace-to-slot demapping unit)１０４４は、各選択されたインタレースを適切なスロットにマッピングする。シンボル対ビット デ゛マッピングユニット (a symbol-to-bit demapping unit)１０４６は、各スロット用の受信されたシンボルを符号ビットにマッピングする。デスクランブラ(descrambler)１０４８は、各スロット用の符号ビットをデスクランブルし(descrambles)し、デスクランブルされたデータ(descrambled data)を供給する。スロットバッファ１０５０は、デスクランブルされたデータの1以上のスロットをバッファし、必要とされるようなパケットのリアセンブリを行ない(performs reassembly)、デスクランブルされたパケットを供給する。デインタリーバ(deinterleaver)１０５２は、各デスクランブルされたパケットをデインタリーブし(deinterleaves)、デインタリーブされたパケット(a deinterleaved packet)を供給する。デコーダ(a decoder)１０５４は、デインタリーブされたパケットをデコード(decodes)し、データストリーム｛ｄｉ｝用のデコードされたデータパケットを供給する。一般に、ＲＸデータストリームプロセッサ１０４０内のユニットによって行なわれる処理は、図９Ａの中のＴＸデータストリームプロセッサ９１０内の対応するユニットによって行なわれる処理に相補的(complementary)である。シンボル対ビット デ゛マッピング及びデコーディングは、データストリーム用に使用されるモードに従って行なわれる。ＲＸオーバヘッドデータプロセッサ１０６０は、受信されたオーバーヘッドシンボルを処理し、デコードされたオーバーヘッドデータを供給する。
【００７０】
Ｍインタレースの周期的な構造のために、フーリエ変換ユニット１０１４は、そのインタレース用のそのセットのＳ受信されたシンボル(the set of S received symbol)｛Ｘｍ(k)｝｝を得るため、各選択されたインタレースｍのための部分的Ｓ'ポイントフーリエ変換(a partial S'-point Fourier transform)を行なうことが出来る。インタレースｍ、ここでｍ＝１・・・Ｍ、の全てのＳサブバンドを含んでいるＳ'サブバンドのためのフーリエ変換は、次のように表わされることが出来る：
【数４】
2010104012.tif 000007
【００７１】
ここで、ｘ(ｎ)は、サンプル期間ｎ、
【数５】
2010104012.tif 000008
【００７２】
、及びＮ＝Ｍ・Ｓ’の場合の入力サンプルである。
【数６】
2010104012.tif 000009
【００７３】
ここで、
【数７】
2010104012.tif 000010
【００７４】
は、回転させられたサンプル(a rotated sample)であり、入力サンプルｘ(ｎ)を、サンプルからサンプルへと変わるフェーザー(a phasor that varies from sample to sample)である
【数８】
2010104012.tif 000011
【００７５】
によって回転させることにより(by rotating)得られ（項ｍ−１及びｎ−１の指数における−１は、０の代わりに１で始まるインデックスナンバリングスキーム(an index numbering scheme)のためである）、又、
ｇｍ(ｎ)は、Ｓ’サンプルによって相隔てられた、Ｍ回転させられたサンプル(M rotated samples)を累積すること(accumulating)により得られる時間ドメイン値(a time-domain value)である。
【００７６】
式（１）は次のように表わされることが出来る：
【数９】
2010104012.tif 000012
【００７７】
インタレースｍのための部分的Ｓ'ポイントフーリエ変換は、次のように行われる。Ｎ回転させられたサンプル
【数１０】
2010104012.tif 000013
【００７８】
のシーケンスを得るために、式（２）において示されるように、１シンボル期間のシーケンス｛ｘ(ｎ)｝におけるＮ入力サンプルの各々が、
【数１１】
2010104012.tif 000014
【００７９】
によって先ず回転させられる。式（３）において示されるように、Ｓ’時間ドメイン値｛ｇｍ(ｎ)｝を得るために、Ｓ’セットのＭ回転させられたサンプルの中で、回転させられたサンプルがそのあと累積される。各セットは、シーケンス
【数１２】
2010104012.tif 000015
【００８０】
において全てのＳ’番目の回転させられたサンプル(every S'-th rotated sample)を含んでおり、Ｓ’セットは、シーケンス
【数１３】
2010104012.tif 000016
【００８１】
における異なる開始の回転させられたサンプル(different starting rotated samples)に関連している。インタレースｍのためのＳ'受け取られたシンボル(the S' received symbols)を得るために、通常のＳ'ポイントフーリエ変換(a normal S'-point Fourier transform)がそのあと、Ｓ'時間ドメイン値{ｇｍ(ｎ)}上で行なわれる。Ｓ使用可能なサブバンドのための受信されたシンボルは保持され(retained)、そのあと、Ｓ'−Ｓの未使用のサブバンドのための受信されたシンボルは廃棄される(discarded)。
【００８２】
チャネル推定のため(for channel estimation)、部分的Ｓ'ポイントフーリエ変換が、1セットのＳ受信されたパイロットシンボル、{Ｘｐ(ｋ)}又はＸ（Ｍ・ｋ＋ｐ）、を得るために、ＦＤＭパイロット用に使用されるインタレースｐのためのＮ入力サンプル上で行なわれることが出来る。インタレースｐにおけるサブバンドのためのチャネル利得推定値
【数１４】
2010104012.tif 000017
【００８３】
を得るために、受信されたパイロットシンボル上の変調(the modulation on the received pilot symbols)がそのあと、次のとおり取り除かれる(removed):
【数１５】
2010104012.tif 000018
【００８４】
ここで、Ｐ（Ｍ・ｋ＋ｐ）は、インタレースｐ中のｋ番目のサブバンド(the k-th subband)のための知られたパイロットシンボルであり、「＊」は、複素共役(a complex conjugate)である。式（５）は、全てのＳ'サブバンドがパイロット伝送に使用されることを前提にしている。
【数１６】
2010104012.tif 000019
【００８５】
として表わされることが出来る、Ｓ'変調された時間ドメインチャネル利得値のシーケンス(a sequence of S' modulated time-domain channel gain values)、｛ｈｐ(ｎ)｝、を得るために、Ｓ'ポイントＩＦＦＴがそのあとチャネル利得推定値
【数１７】
2010104012.tif 000020
【００８６】
に関し行なわれる。シーケンス｛ｈｐ(ｎ)｝中のチャネル利得値はそのあと、Ｓ'デローテートされた時間ドメインチャネル利得値のシーケンス(a sequence of S' derotated time-domain channel gain values)
【数１８】
2010104012.tif 000021
【００８７】
を得るために、
【数１９】
2010104012.tif 000022
【００８８】
で掛け算することによってデローテートされる(derotated by multiplication with)。
【００８９】
インタレースｍ中のサブバンドのためのチャネル利得推定値は、そのとき次のように表わされることが出来る:
【数２０】
2010104012.tif 000023
【００９０】
式（６）の中で示されるように、インタレースｍ中のサブバンドのためのチャネル利得推定値は、Ｓ’回転させられたチャネル利得値のシーケンス
【数２１】
2010104012.tif 000024
【００９１】
を得るために、シーケンス{ｈ(n)}中の各デローテートされた時間ドメインチャネル利得値を
【数２２】
2010104012.tif 000025
【００９２】
によって先ず掛け算することによって得られることが出来る。通常のＳ’ポイントＦＦＴがこのあと、インタレースｍ中のサブバンドのためのＳ’チャネル利得推定値を得るためにシーケンス
【数２３】
2010104012.tif 000026
【００９３】
に関し行われる。インタレースｍのための回転させられたチャネル利得値が
【数２４】
2010104012.tif 000027
【００９４】
として得られることが出来るように、
【数２５】
2010104012.tif 000028
【００９５】
によるｈｐ(ｎ)のデローテーション(the derotation)と
【数２６】
2010104012.tif 000029
【００９６】
によるｈ(ｎ)の回転(the rotation)とが、組み合わされる(combined)ことが出来る。
【００９７】
例示的なチャネル推定スキーム(channel estimation scheme)が上記に説明されてきた。チャネル推定(the channel estimation)は又、他の方法で行なわれることが出来る。例えば、パイロット伝送用に使用される異なるインタレースのために得られるチャネル推定値(the channel estimates)は、対象となっている各インタレース(each interlace of interest)のためにより正確なチャネル推定値を得るために、フィルタにかけられことが出来（例、長い間にわたって(over time)）、及び／又は、後処理される(post-processed)ことが出来る（例、インパルスリスポンス{ｈ(ｎ)}の最小二乗推定値(a least square estimate)に基づき)。
【００９８】
ここで説明された多重化技術(the multiplexing techniques)は、様々な手段によって実施されることが出来る。例えば、これらの技術は、ハードウェア、ソフトウェアあるいはそれらの組合せで実施されることが出来る。ハードウェアの実施については、基地局で多重化を行なうために使用される処理装置は、１以上の特定用途向け集積回路（ＡＳＩＣｓ）、デジタルシグナルプロセッサ（ＤＳＰｓ）、デジタル信号処理装置（ＤＳＰＤｓ）、プログラマブルロジック装置（ＰＬＤｓ）、フィールドプログラマブルゲートアレー（ＦＰＧＡ）、プロセッサ、コントローラ、マイクロコントローラ、マイクロプロセッサ、ここで説明された機能を実行するように設計された他の電子装置、或いはこれらの組み合わせの中で実施されることが出来る。無線デバイスでの相補的処理を実行するために使用される処理装置は又、１以上のＡＳＩＣｓ、ＤＳＰｓ、などの中で実施されることが出来る。
【００９９】
ソフトウェアの実施については、多重化技術は、ここで説明された機能を実行するモジュール（例、手続き、機能、など）で実施されることが出来る。ソフトウェアコードは、記憶装置（例、図１における記憶装置１４２又は１８２）に保存され、プロセッサ（例、コントローラ１４０又は１８０）によって実行されることが出来る。記憶装置はプロセッサ内に又はプロセッサの外部で実施されることが出来、その場合には、それは、本技術分野で知られているように、様々な手段を介して、プロセッサに通信上結合されることが出来る。
【０１００】
開示された実施例の以上の説明は、当業者の誰もが本発明を作り又は使用できるように提供されている。これら実施例の様々の変形は当業者には容易に明らかであり、ここに定義された包括的な原理は本発明の精神或いは範囲を逸脱することなく他の実施例に適用されることが出来る。従って、本発明は、ここで示された実施例に限定されるように意図されてはおらず、ここに開示された原理及び新規な特徴と矛盾しない、最も広い範囲が与えられるべきものである。
【図１】
2010104012.tif 000030
【図２】
2010104012.tif 000031
【図３】
2010104012.tif 000032
【図４Ａ】
2010104012.tif 000033
【図４Ｂ】
2010104012.tif 000034
【図５】
2010104012.tif 000035
【図６】
2010104012.tif 000036
【図７Ａ】
2010104012.tif 000037
【図７Ｂ】
2010104012.tif 000038
【図８Ａ】
2010104012.tif 000039
【図８Ｂ】
2010104012.tif 000040
【図９Ａ】
2010104012.tif 000041
【図９Ｂ】
2010104012.tif 000042
【図１０Ａ】
2010104012.tif 000043
【図１０Ｂ】
2010104012.tif 000044
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
伝送用に使用可能な複数の周波数サブバンドで２Ｎのオーバーラップしないインタレースを形成することと、なおここでは、Ｎ≧１であり各インタレースは前記複数の周波数サブバンドの中から選択された異なるセットの周波数サブバンドである；
各シンボル期間における前記複数のスロットを前記２Ｎのインタレースにマッピングすることと；
前記複数のデータシンボルストリームに対し多重化されたデータシンボルで合成シンボルストリームを形成することと、なおここでは、前記複数のデータシンボルストリームは受信機によって独立して回復可能である；
を備える方法。
【請求項２】
Ｎが１、２、３、又は４に等しい、前記請求項１記載の方法。
【請求項３】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
伝送用に使用可能なＵ周波数サブバンドで複数のオーバーラップしないインタレースを形成することと、なおここでは、Ｕ＞１であり各インタレースは前記Ｕ周波数サブバンドの中から選択された異なるセットの周波数サブバンドである；
各シンボル期間における前記複数のスロットを前記複数のインタレースにマッピングすることと；
前記複数のデータシンボルストリームに対し多重化されたデータシンボルで合成シンボルストリームを形成することと、なおここでは、前記複数のデータシンボルストリームは受信機によって独立して回復可能である；
を備え、
前記方法は、
各データストリームに対し１データシンボルストリームで、前記複数のデータシンボルストリームを得るために複数のデータストリームを処理すること、
を更に備える、
方法。
【請求項４】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
前記複数のデータシンボルストリームに対し多重化されたデータシンボルで合成シンボルストリームを形成することと、なおここでは、前記複数のデータシンボルストリームは受信機によって独立して回復可能である；
を備え、
前記の、前記スロットを前記複数のデータシンボルストリームの各々に割り当てることは、特定の数のスロットを各データシンボルストリームに、前記データシンボルストリーム用に使用される少なくとも１符号化及び変調スキームと少なくとも１パケットサイズとに基づき割り当てること、を備える、
方法。
【請求項５】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
前記複数のデータシンボルストリームに対し多重化されたデータシンボルで合成シンボルストリームを形成することと、なおここでは、前記複数のデータシンボルストリームは受信機によって独立して回復可能である；
を備え、
前記複数のデータストリームを処理することは、
前記データストリーム用の符号化されたパケットを生成する符号化スキームに従い、各データストリーム用のデータパケットを符号化することと、
前記対応するデータシンボルストリーム用のデータシンボルを生成する変調スキームに従い、各データストリーム用の前記符号化されたパケットを変調することと、
を備える、
方法。
【請求項６】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
前記複数のデータシンボルストリームに対し多重化されたデータシンボルで合成シンボルストリームを形成することと、なおここでは、前記複数のデータシンボルストリームは受信機によって独立して回復可能である；
を備え、
各データストリーム用のデータパケットを符号化することは、予め定められた時間区分の各フレームにおける各データストリーム用の整数の数のデータパケットを符号化することを備え、
前記の、前記スロットを前記複数のデータシンボルストリームの各々に割り当てることは、整数の数のスロットを、各フレームにおける各データシンボルストリームに、前記対応するデータストリーム用の前記フレームにおける伝送されている前記数のデータパケットに基づき、割り当てることを備えている、
方法。
【請求項７】
無線マルチ−キャリア通信システムにおけるデータ伝送方法であって、
スロットを複数のデータシンボルストリームの各々に割り当てることと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上で多重化することと；
前記複数のデータシンボルストリームに対し多重化されたデータシンボルで合成シンボルストリームを形成することと、なおここでは、前記複数のデータシンボルストリームは受信機によって独立して回復可能である；
を備え、
前記の、前記スロットを前記複数のデータシンボルストリームの各々に割り当てることは、各データシンボルストリームを、前記データシンボルストリーム用に使用される符号化及び変調スキームとデコーディング制約条件とによって決定される特定の数のスロットに割り当てること、を備える、
方法。
【請求項８】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備え、
前記コントローラは更に、各シンボル期間において前記複数のスロットの中からパイロット伝送用のスロットを選択するように動作し、又、前記データプロセッサは更に、パイロット伝送用に使用される前記スロット上にパイロットシンボルを多重化するように動作する、
装置。
【請求項９】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備え、
前記コントローラは更に、特定の数のスロットを各データシンボルストリームに、前記データシンボルストリーム用に使用される少なくとも１符号化及び変調スキームと少なくとも１パケットサイズとに基づき割り当てるように動作する、
装置。
【請求項１０】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備え、
前記コントローラは更に、伝送用に使用可能なＵ周波数サブバンドで複数のオーバーラップしないインタレースを形成するように（なおここで、Ｕ＞１）、又、各シンボル期間における前記複数のスロットを前記複数のインタレースにマッピングするように、動作し、各インタレースは前記Ｕ周波数サブバンドの中から選択された異なるセットの周波数サブバンドであり、
前記データプロセッサは更に、各データストリームに対し１データシンボルストリームで、複数のデータシンボルストリームを得るために複数のデータストリームを処理するように動作する、
装置。
【請求項１１】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備え、
前記コントローラは更に、伝送用に使用可能なＵ周波数サブバンドで複数のオーバーラップしないインタレースを形成するように（なおここで、Ｕ＞１）、又、各シンボル期間における前記複数のスロットを前記複数のインタレースにマッピングするように、動作し、各インタレースは前記Ｕ周波数サブバンドの中から選択された異なるセットの周波数サブバンドであり、
前記無線マルチ−キャリア通信システムは、直交周波数分割多重（ＯＦＤＭ）を利用する、
装置。
【請求項１２】
無線マルチ−キャリア通信システムにおける装置であって、
スロットを複数のデータシンボルストリームの各々に割り当てるように動作するコントローラと、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化し、前記複数のデータシンボルストリームに対し多重化されたデータシンボルで合成シンボルストリームを形成するように動作するデータプロセッサと、なおここでは、前記複数のデータシンボシンボルストリームは、受信機によって独立して回復可能である；
を備え、
前記コントローラは更に、伝送用に使用可能なＵ周波数サブバンドで複数のオーバーラップしないインタレースを形成するように（なおここで、Ｕ＞１）、又、各シンボル期間における前記複数のスロットを前記複数のインタレースにマッピングするように、動作し、各インタレースは前記Ｕ周波数サブバンドの中から選択された異なるセットの周波数サブバンドであり、
前記無線マルチ−キャリア通信システムは、ブロードキャストシステムである、
装置。
【請求項１３】
無線マルチ−キャリア通信システムにおける装置であって、
スロットを複数のデータシンボルストリームの各々に割り当てる手段と、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化する手段と；
前記複数のデータシンボルストリームに対し多重化されたデータシンボルで合成シンボルストリームを形成する手段と、なおここでは、前記複数のデータシンボルストリームは受信機によって独立して回復可能である；
各シンボル期間において前記複数のスロットの中からパイロット伝送用のスロットを選択する手段と、
パイロット伝送用に使用される前記スロット上にパイロットシンボルを多重化する手段と、
を備える装置。
【請求項１４】
無線マルチ−キャリア通信システムにおける装置であって、
スロットを複数のデータシンボルストリームの各々に割り当てる手段と、なおここでは、各スロットは伝送のユニットであり、複数のスロットは各シンボル期間において周波数分割多重化されている；
各データシンボルストリーム中のデータシンボルを前記データシンボルストリームに割り当てられた前記スロット上に多重化する手段と；
前記複数のデータシンボルストリームに対し多重化されたデータシンボルで合成シンボルストリームを形成する手段と、なおここでは、前記複数のデータシンボルストリームは受信機によって独立して回復可能である；
伝送用に使用可能なＵ周波数サブバンドで複数のオーバーラップしないインタレースを形成する手段と、なおここでは、Ｕ＞１であり各インタレースは前記Ｕ周波数サブバンドの中から選択された異なるセットの周波数サブバンドである；
各シンボル期間における前記複数のスロットを前記複数のインタレースにマッピングする手段と；
を備え、
前記装置はさらに、
各データストリームに対し１データシンボルストリームで、複数のデータシンボルストリームを取得するために複数のデータストリームを処理する手段、
を備える、
装置。
【請求項１５】
無線マルチ−キャリア通信システムにおけるデータ受信方法であって、
前記システム中の送信機により伝送される複数のデータストリームの中から１以上の回復用データストリームを選択することと；
各選択されたデータストリーム用に使用されるスロットを決定することと、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化することと、なおここでは、各検出されたデータシンボルはデータシンボルの推定値であり、少なくとも１つの検出されたデータシンボルストリームは、回復用に選択された少なくとも１つのデータストリームのために得られる；
対応するデコードされたデータストリームを取得するために各検出されたデータシンボルストリームを処理することと；
前記スロットのために受け取られたデータシンボルを得るために各選択されたデータストリーム用に使用される各スロットに対し、部分フーリエ変換を行うことと、なお前記部分フーリエ変換は、前記システムにおける全てよりは少ない周波数サブバンドに対するフーリエ変換である；
前記スロット用に検出されたシンボルを得るために各選択されたデータストリーム用に使用される各スロットのために受け取られたデータシンボルに関し検出することと；
を備える方法。
【請求項１６】
無線マルチ−キャリア通信システムにおけるデータ受信方法であって、
前記システム中の送信機により伝送される複数のデータストリームの中から１以上の回復用データストリームを選択することと；
各選択されたデータストリーム用に使用されるスロットを決定することと、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化することと、なおここでは、各検出されたデータシンボルはデータシンボルの推定値であり、少なくとも１つの検出されたデータシンボルストリームは、回復用に選択された少なくとも１つのデータストリームのために得られる；
対応するデコードされたデータストリームを取得するために各検出されたデータシンボルストリームを処理することと；
前記スロット用のチャネル推定値を得るためにパイロット伝送用に使用される各スロットに対し部分フーリエ変換を行うこと、
を備える方法。
【請求項１７】
パイロット伝送用に使用されるスロットから得られるチャネル推定値に基づき、各選択されたデータストリーム用に使用される各スロット用にチャネル推定値を導き出すこと、を更に備える、前記請求項１６記載の方法。
【請求項１８】
無線マルチ−キャリア通信システムにおける装置であって、
前記システム中の送信機により伝送される複数のデータストリームの中から少なくとも１つの回復用データストリームを選択し、各選択されたデータストリーム用に使用されるスロットを決定するように動作するコントローラと、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
各選択されたデータストリーム用に使用されるスロットのために得られる検出されたデータシンボルを検出されたデータシンボルストリーム上に多重化し、又、対応するデコードされたデータストリームを得るために各検出されたデータシンボルストリームを処理するように動作するデータプロセッサと、なおここでは、各検出されたデータシンボルはデータシンボルの推定値であり、回復用に選択された前記少なくとも１つのデータストリームに対し少なくとも１つの検出されたデータシンボルストリームが得られる；
前記スロット用に受け取られたデータシンボルを得るために各選択されたデータストリーム用に使用される各スロットに対し部分フーリエ変換を行うように、又、前記スロット用に検出されたシンボルを得るために各選択されたデータストリーム用に使用される各スロット用の前記受け取られたデータシンボルに関し検出するように、動作する復調器と、
を備える装置。
【請求項１９】
無線マルチ−キャリア通信システムにおける装置であって、
前記システム中の送信機により伝送される複数のデータストリームの中から少なくとも１つの回復用データストリームを選択する手段と；
各選択されたデータストリーム用に使用されるスロットを決定する手段と、なおここでは、各スロットは伝送のユニットであり、複数のスロットは各シンボル期間において周波数分割多重化されており、又、ここでは、前記複数のデータストリームの各々に対しデータシンボルが前記データストリームに割り当てられたスロット上に多重化されており、そしてここでは、前記複数のデータストリームは受信機によって独立して回復可能である；
前記スロット用に受け取られたデータシンボルを得るために各選択されたデータストリーム用に使用される各スロットに対し部分フーリエ変換を行う手段と；
前記スロット用に検出されたシンボルを得るために各選択されたデータストリームのために使用される各スロット用の前記受け取られたデータシンボルに関し検出する手段と；
各選択されたデータストリーム用に使用されるスロットのために得られる検出されたデータシンボルを検出されたデータシンボルストリーム上に多重化する手段と、なおここでは、各検出されたデータシンボルはデータシンボルの推定値であり、回復用に選択された少なくとも１つのデータストリームに対し、少なくとも１つの検出されたデータシンボルストリームが得られる）；
対応するデコードされたデータストリームを得るために各検出されたデータシンボルストリームを処理する手段と；
を備える装置。
【外国語明細書】
2010104012000001.pdf